(57)【要約】【課題】非接触ＩＣタグ付き名刺の名刺情報を読み取ることができ、その情報から相手の名前、電話番号、メールアドレス等を電話帳データに自動登録する携帯端末装置及び通信システムを提供する。【解決手段】非接触ＩＣタグ付き名刺を携帯端末装置の情報読取部７にかざすと、情報読取部７で非接触ＩＣタグ情報の読取り、読取情報解析部５１で読み取った非接触ＩＣタグ情報の解析を行い、読取情報登録部５２で読取情報解析部５１で解析した情報の内、メモリダイアルの登録に必要な情報を抜き出してメモリダイアルに登録する。【選択図】  図１
2004356934.tif 000002
【特許請求の範囲】
【請求項１】
名刺内容の情報を記憶するメモリ機能を備えたメモリ機能付き名刺の前記メモリ機能の情報を読み取れる読取部を備えた携帯端末装置であって、
前記携帯端末装置は、通信相手の電話番号等からなる電話帳データを登録しその電話帳データを自在に呼出して発信することが可能な電話帳データ登録機能を備え、
前記メモリ機能付き名刺の記憶内容を前記読取部で読み取った際に、前記記憶内容のうち少なくとも１つの情報を、電話帳データ登録機能に新たな通信相手の電話帳データとして登録できることを特徴とする携帯端末装置。
【請求項２】
名刺内容の情報を記憶するメモリ機能を備えたメモリ機能付き名刺と、前記メモリ機能の情報を読み取れる読取部を備えた携帯端末装置を用いた通信システムであって、
前記メモリ機能付き名刺の記憶内容を前記読取部で読み取った際に、前記記憶内容のうち少なくとも１つの情報を、前記携帯端末装置に予め備えられた通信相手の電話番号等を登録できる電話帳データに新たな通信相手の電話帳データとして登録できる携帯端末装置を備えることを特徴とする通信システム。
【請求項３】
前記メモリ機能付き名刺の記憶内容は、名前、電話番号、メールアドレスの情報が記憶されていることを特徴とする請求項１記載の携帯端末装置又は請求項２記載の通信システム。
【発明の詳細な説明】
【０００１】
【発明の属する技術分野】
本発明は、非接触ＩＣタグ付き名刺の名刺情報を読み取ることができ、その情報から相手の名前、電話番号、メールアドレス等を電話帳データに自動登録する携帯端末装置及び通信システムに関するものである。
【０００２】
【従来の技術】
現在、携帯端末装置の普及が広がり、相手の電話番号やメールアドレス等の個人情報は携帯端末装置に記憶し、持ち歩くことが主流になっている。これらは、メモリダイヤルと称される電話帳データの登録の機能を備えているため、携帯端末装置の持ち主が入力部を操作することにより、相手の相手先名、振り仮名、電話番号、メールアドレス等を入力することが可能である。このような操作を行うことで相手の情報を携帯端末装置に記憶することができるが、入力操作で相手の相手先名、振り仮名、電話番号、メールアドレス等を入力することは、非常に煩雑な操作である。
【０００３】
通常、名刺等にはメモリダイアル等に必要な情報等が含まれていることは多い。現在、名刺内容を表示する可視表示部を有し、名刺内容の情報を記憶するメモリ機能が非接触ＩＣタグである非接触ＩＣタグ付き名刺に関する発明が開示されている。（例えば、特許文献１参照）。
【０００４】
非接触ＩＣタグは、非接触ＩＣタグに記憶された情報を読み込ませたい装置のリーダライタ（読取部）にかざすだけで簡単にこれらの情報を読みこむことができ、用途に応じ様々な活用が今後考えられる。
【０００５】
【特許文献１】
特開２００２−１８３６９３号公報
【０００６】
【発明が解決しようとする課題】
したがって、名刺に含まれた情報を効率的に利用して、メモリダイアルへの相手の相手先名、振り仮名、電話番号、メールアドレス等の情報の登録が簡単な操作でできる携帯端末装置があると非常に便利である。
【０００７】
そこで、本発明は、非接触ＩＣタグ付き名刺の名刺情報を読み取ることができ、その情報から相手の名前、電話番号、メールアドレス等を電話帳データに自動登録する携帯端末装置及び通信システムを提供することである。
【０００８】
【課題を解決するための手段】
本発明の請求項１記載の携帯端末装置は、名刺内容の情報を記憶するメモリ機能を備えたメモリ機能付き名刺の前記メモリ機能の情報を読み取れる読取部を備えた携帯端末装置であって、前記携帯端末装置は、通信相手の電話番号等からなる電話帳データを登録しその電話帳データを自在に呼出して発信することが可能な電話帳データ登録機能を備え、前記メモリ機能付き名刺の記憶内容を前記読取部で読み取った際に、前記記憶内容のうち少なくとも１つの情報を、電話帳データ登録機能に新たな通信相手の電話帳データとして登録できることを特徴とする。
【０００９】
また、本発明の請求項２記載の通信システムは、名刺内容の情報を記憶するメモリ機能を備えたメモリ機能付き名刺と、前記メモリ機能の情報を読み取れる読取部を備えた携帯端末装置を用いた通信システムであって、前記メモリ機能付き名刺の記憶内容を前記読取部で読み取った際に、前記記憶内容のうち少なくとも１つの情報を、前記携帯端末装置に予め備えられた通信相手の電話番号等を登録できる電話帳データに新たな通信相手の電話帳データとして登録できる携帯端末装置を備えることを特徴とする。
【００１０】
更に、請求項１記載の携帯端末装置又は請求項２記載の通信システムにおいて、前記メモリ機能付き名刺の記憶内容は、名前、電話番号、メールアドレスの情報が記憶されていることを特徴とする。
【００１１】
【発明の実施の形態】
以下、発明の実施の形態を通じて本発明を説明するが、以下の実施の形態はクレームにかかる発明を限定するものではなく、又実施形態の中で説明されている特徴の組合せの全てが発明の解決手段に必須であるとは限らない。
【００１２】
ここで、本発明に用いられる非接触ＩＣタグ付き名刺について、外部装置（例えば携帯端末装置）とのデータ通信を非接触で行うメモリ機能には、「非接触ＩＣタグ」、「非接触データキャリア」、「無線ＩＣタグ」、「非接触ＩＣ」、「非接触ＩＣラベル」、「ＲＦＩＤタグ」、「共振タグ」等と、種々の名称で表現される場合もあるので、本発明においては、代表して「非接触ＩＣタグ」と表現し、前記のように表現されている名称のものも包含するものとする。また、非接触ＩＣタグ付き名刺に関しては後述で詳細に説明する。
【００１３】
図１は、本発明に関わる携帯端末装置の構成を示す図である。図１の携帯無線端末装置は、基地局から電波を受けるアンテナ１と、前記アンテナ１で受けた電波の受信及び送信を行う無線回路部２と、音声を出力するスピーカー３と、電話番号や本体のソフトウェアを記憶するメモリ４と、信号処理など制御を行う制御部５と、現在の日付及び時刻並びに曜日を管理するタイマ部６と、非接触ＩＣタグに記憶されたタグ情報を読み取る読取部７と、画像情報の表示を行う表示部８と、押下された操作キー入力を行う入力部９と、音声を入力するマイク１０から構成されている。
【００１４】
メモリ４は、例えば不揮発性メモリ（ＥＥＰＲＯＭ）等からなり、通信（通話やメールの送受信）等に係る制御プログラムや各種機能を実行するプログラムが記憶されると共に、電話帳データ（メモリダイヤル）を含む各種データが記憶されるようになっている。
【００１５】
そして、この携帯端末装置は、メモリダイヤルと称される電話帳データの登録の機能を備えている。この電話帳データ登録機能は、制御部５の処理動作を中心としたソフトウエア的構成により実現され、ユーザが入力部９を操作することにより、良く電話をかけるような通信相手の、相手先名、振り仮名、電話番号、メールアドレス情報等からなる電話帳データを、メモリ４の電話帳データ登録領域に例えば最大５００件まで登録（記憶）させておくものである。
【００１６】
制御部５は読取情報解析部５１が備えられており、この読取情報解析部５１は、情報読取部７で読み取った非接触ＩＣタグ情報（本発明では、名刺情報が記憶されている）を解析する処理部である。また、読取情報登録部５２は、読取情報解析部５１で解析した情報の内、メモリダイアルの登録に必要な情報、例えば、相手先名、振り仮名、電話番号、メールアドレス情報を抜き出してメモリダイアルに登録する処理を行う処理部である。つまり、情報読取部７で外部にある非接触ＩＣタグ情報の読取が行われたら、読取情報解析部５１で読み取った非接触ＩＣタグ情報の解析を行い、読取情報登録部５２で読取情報解析部５１で解析した情報の内、メモリダイアルの登録に必要な情報を抜き出してメモリダイアルに登録する処理を行うことで、簡単にメモリダイアルへの登録が行えることができる。
【００１７】
次に、非接触ＩＣタグ付き名刺について説明する。図２は、非接触ＩＣタグ付き名刺の一例を示す平面図である。非接触ＩＣタグ付き名刺の一方の面１１には、可視表示部１２が設けられ、他方の面１５には、メモリ機能を有する非接触ＩＣタグ１６が貼着されている。また非接触ＩＣタグ付き名刺は、基材１４及び耐久性が必要とされる場合には、保護層１３が設けられる。非接触ＩＣタグ付き名刺の可視表示部１２には、記名者の氏名と属性情報が可視的に表示されており、一般的に使われている名刺としての機能を有している。属性情報としては、会社名、部署名、住所、電話番号、ファクシミリ番号、電子メールアドレス等の全部又は一部がオフセット印刷等で印刷されている。上記の属性情報は、名刺情報として非接触ＩＣタグ１１のメモリへ記憶される。
【００１８】
非接触ＩＣタグ付き名刺は、別の実施の形態として、非接触ＩＣカードを用いることもできる。非接触ＩＣカードは、非接触ＩＣチップを埋め込んだカードで、ＩＣチップとしては、演算機能をもたずメモリー容量も数キロビット程度でも充分に適用できる。このような、非接触ＩＣカードを用いても本発明は適用できる。
【００１９】
図３は、本発明を適用した場合の携帯端末装置におけるメモリダイアル登録の一例を示す図である。ここでは、通常メモリダイアルに登録される一般的な例である、名前、振り仮名（読み）、電話番号（ＴＥＬ）、メールアドレスの登録方法について説明する。まず、図２で示した非接触ＩＣタグ付き名刺を図１で示した携帯端末装置の情報読取部７にかざすと、情報読取部７で非接触ＩＣタグ情報の読取り、読取情報解析部５１で読み取った非接触ＩＣタグ情報の解析を行い、読取情報登録部５２で読取情報解析部５１で解析した情報の内、メモリダイアルの登録に必要な情報を抜き出してメモリダイアルに登録するためにユーザ確認を行うため、図３に示す画面が表示される。ここで、メモリダイアルの登録に必要な情報とは、この登録画面では、相手の名前、相手の名前の振り仮名、相手の電話番号、相手のメールアドレスなので、これらの情報を非接触ＩＣタグ付き名刺から読み取った情報の内、これらの情報を選出し、メモリダイアルに登録する処理を行えばよい。携帯端末装置においては、その他の情報、相手の会社名、相手のＦＡＸ番号等も登録できるものもあるので、その携帯端末装置のメモリダイアルに予め設定された登録項目に応じた情報を選出して登録処理を行っても良いし、その登録項目の内の少なくとも１つの情報を登録する処理を行っても良い。例えば、図３の画面表示では、相手の名前と電話番号のみのメモリダイアル登録画面を出し、読みとメールアドレスの部分は空白（表示がなし）でも構わない。
【００２０】
このようにして、メモリダイアルへの登録が行うことができ、更に、図３の画面を出すことで、間違えや追加等の編集作業も容易に行うことができる。編集の際は、編集を行いたい箇所の選択を行い、その選択箇所の修正を携帯端末装置の入力部９で行うことができる。選択方法の表示としては、反転表示を用いることでどの個所を選択している分かりやすく表示することもでき、メモリダイアルの登録完了の場合は、反転表示を「メモリダイアル登録」の個所に持って行き、そこを選択することで簡単にメモリダイアルへの登録を行うことができる。
【００２１】
【発明の効果】
このように本発明によれば、煩雑な操作なしに非接触ＩＣタグ付き名刺の名刺情報を読み取ることができ、その情報から相手の名前、電話番号、メールアドレス等を煩雑な操作なしに電話帳データに自動登録する携帯端末装置及び通信システムを提供することができる。
【図面の簡単な説明】
【図１】本発明に関わる携帯端末装置の構成を示す図である。
【図２】非接触ＩＣタグ付き名刺の一例を示す平面図である。
【図３】本発明を適用した場合の携帯端末装置におけるメモリダイアル登録の一例を示す図である。
【符号の説明】
１      アンテナ
２      無線回路部
３      スピーカー
４      メモリ
５      制御部
５１    読取情報解析部
５２    読取情報登録部
６      タイマ部
７      情報読取部
８      表示部
９      入力部
１０    マイク
【図１】
2004356934.tif 000003
【図２】
2004356934.tif 000004
【図３】
2004356934.tif 000005